【手続補正書】
【提出日】平成19年9月28日(2007.9.28)
【手続補正１】
【補正対象書類名】明細書
【補正対象項目名】発明の名称
【補正方法】変更
【補正の内容】
【発明の名称】ネットワークシステム、出力装置の利用方法、端末装置及びその制御方法、記憶媒体
【手続補正２】
【補正対象書類名】明細書
【補正対象項目名】特許請求の範囲
【補正方法】変更
【補正の内容】
【特許請求の範囲】
【請求項１】  ネットワークシステムであって、
第１の端末装置と通信中の第２の端末装置の位置を検索する検索手段と、
前記検索手段により検索した前記第２の端末装置の位置に応じて、前記第１の端末装置から送信された情報を出力する出力装置を決定する決定手段と、
前記第１の端末装置から送信された情報を前記決定手段により決定された前記出力装置から出力するための通信路を設定するための処理を行う設定手段と
を有することを特徴とするネットワークシステム。
【請求項２】  ネットワークシステムにおける出力装置の利用方法であって、
第１の端末装置と通信中の第２の端末装置の位置を検索する検索工程と、
前記検索工程において検索した前記第２の端末装置の位置に応じて、前記第１の端末装置から送信された情報を出力する出力装置を決定する決定工程と、
前記第１の端末装置から送信された情報を前記決定工程において決定された前記出力装置から出力するための通信路を設定するための処理を行う設定工程と
を有することを特徴とするネットワークシステムにおける出力装置の利用方法。
【請求項３】  前記ネットワークシステムは、サーバ装置を有し、前記決定工程は、前記サーバ装置において実行されることを特徴とする請求項２に記載のネットワークシステムにおける出力装置の利用方法。
【請求項４】  前記決定工程における前記出力装置の決定は、前記第１の端末装置または前記第２の端末装置からの要求に応じて行われることを特徴とする請求項２又は請求項３に記載のネットワークシステムにおける出力装置の利用方法。
【請求項５】  前記決定工程では、前記第２の端末装置に近接する装置を前記出力装置として決定することを特徴とする請求項２乃至請求項４のいずれかに記載のネットワークシステムにおける出力装置の利用方法。
【請求項６】  前記ネットワークシステムは、出力装置の識別情報と、各出力装置の位置情報とを格納するデータベースを有し、前記決定工程では、前記データベースを検索し、その検索結果に基づいて、前記第１の端末装置から送信された情報を出力する出力装置を決定することを特徴とする請求項２乃至請求項５のいずれかに記載のネットワークシステムにおける出力装置の利用方法。
【請求項７】  前記ネットワークシステムは、サーバ装置を有し、前記設定工程は、前記サーバ装置を介して前記第１の端末装置と前記出力装置との間で前記通信路を設定するための処理を行うことを特徴とする請求項２乃至請求項６のいずれかに記載のネットワークシステムにおける出力装置の利用方法。
【請求項８】  前記サーバ装置は、前記第１の端末装置から送信された情報を前記出力装置に転送することを特徴とする請求項７に記載のネットワークシステムにおける出力装置の利用方法。
【請求項９】  前記通信路が設定されると、前記第１の端末装置に前記情報の送信開始可能を通知する通知工程を有することを特徴とする請求項２乃至請求項８のいずれかに記載のネットワークシステムにおける出力装置の利用方法。
【請求項１０】  前記決定工程において決定した出力装置の情報を前記第１の端末装置に通知する通知工程を有し、前記第１の端末装置は、前記通知工程において通知された前記出力装置の情報に基づいて、前記通信路を設定することを特徴とする請求項３に記載のネットワークシステムにおける出力装置の利用方法。
【請求項１１】  前記設定工程は、前記第２の端末装置を介して前記第１の端末装置と前記出力装置との間で前記通信路を設定するための処理を行うことを特徴とする請求項２乃至請求項６のいずれかに記載のネットワークシステムにおける出力装置の利用方法。
【請求項１２】  前記決定工程において決定した出力装置の情報を前記第２の端末装置に通知する通知工程を有し、前記第２の端末装置は、前記通知工程において通知された前記出力装置の情報に基づいて、前記通信路を設定することを特徴とする請求項３に記載のネットワークシステムにおける出力装置の利用方法。
【請求項１３】  前記設定工程における処理により前記通信路が設定されることにより、前記第２の端末装置は、前記出力装置の利用権を一時的に獲得することを特徴とする請求項２乃至請求項１２のいずれかに記載のネットワークシステムにおける出力装置の利用方法。
【請求項１４】  前記第１の端末装置と第２の端末装置との間の通信路が設定されている場合に、前記設定工程における処理により前記第１の端末装置と前記出力装置との間の通信路は設定されることを特徴とする請求項２乃至請求項１３のいずれかに記載のネットワークシステムにおける出力装置の利用方法。
【請求項１５】  前記出力装置は、前記第１の端末装置から送信された情報を表示することを特徴とする請求項２乃至請求項１４のいずれかに記載のネットワークシステムにおける出力装置の利用方法。
【請求項１６】  第１の端末装置であって、
第２の端末装置との通信路及び、第２の端末装置の位置に応じて決定された出力装置であり、前記第１の端末装置から送信された情報を出力する出力装置との通信路を設定する設定手段と、
前記設定手段により設定された前記出力装置との前記通信路を介して、前記出力装置にデータを送信する送信手段と
を有することを特徴とする第１の端末装置。
【請求項１７】  第１の端末装置の制御方法であって、
第２の端末装置との通信路及び、第２の端末装置の位置に応じて決定された出力装置であり、前記第１の端末装置から送信された情報を出力する出力装置との通信路を設定する設定工程と、
前記設定工程において設定された前記出力装置との前記通信路を介して、前記出力装置にデータを送信する送信工程と
を有することを特徴とする第１の端末装置の制御方法。
【請求項１８】  ネットワークシステムにおいて出力装置の利用方法をコンピュータに実行させるプログラムを記憶した、コンピュータで読み取り可能な記憶媒体であって、前記出力装置の利用方法は、
第１の端末装置と通信中の第２の端末装置の位置を検索する検索工程と、
前記検索工程において検索した前記第２の端末装置の位置に応じて、前記第１の端末装置から送信された情報を出力する出力装置を決定する決定工程と、
前記第１の端末装置から送信された情報を前記決定工程において決定された前記出力装置から出力するための通信路を設定するための処理を行う設定工程と
を有することを特徴とする記憶媒体。
【手続補正３】
【補正対象書類名】明細書
【補正対象項目名】０００１
【補正方法】変更
【補正の内容】
【０００１】
【発明の属する技術の分野】
本発明は、携帯型等の端末装置から複数のコネクションを同時に利用する技術に関する。
【手続補正４】
【補正対象書類名】明細書
【補正対象項目名】０００９
【補正方法】変更
【補正の内容】
【０００９】
本発明は上記従来技術の問題を解決するためになされたものであり、その目的は、専用のインターフェイスや専用の交換機を新たに設けることなく他の端末装置が有する機能を利用することができるネットワークシステム、出力装置の利用方法、端末装置及びその制御方法、記憶媒体を提供することにある。
【手続補正５】
【補正対象書類名】明細書
【補正対象項目名】００１０
【補正方法】変更
【補正の内容】
【００１０】
【課題を解決するための手段】
上記目的を達成するために本発明は、ネットワークシステムであって、第１の端末装置と通信中の第２の端末装置の位置を検索する検索手段と、前記検索手段により検索した前記第２の端末装置の位置に応じて、前記第１の端末装置から送信された情報を出力する出力装置を決定する決定手段と、前記第１の端末装置から送信された情報を前記決定手段により決定された前記出力装置から出力するための通信路を設定するための処理を行う設定手段とを有することを特徴とするネットワークシステムを提供する。
【手続補正６】
【補正対象書類名】明細書
【補正対象項目名】００１１
【補正方法】変更
【補正の内容】
【００１１】
また、ネットワークシステムにおける出力装置の利用方法であって、第１の端末装置と通信中の第２の端末装置の位置を検索する検索工程と、前記検索工程において検索した前記第２の端末装置の位置に応じて、前記第１の端末装置から送信された情報を出力する出力装置を決定する決定工程と、前記第１の端末装置から送信された情報を前記決定工程において決定された前記出力装置から出力するための通信路を設定するための処理を行う設定工程とを有することを特徴とするネットワークシステムにおける出力装置の利用方法を提供する。
【手続補正７】
【補正対象書類名】明細書
【補正対象項目名】００１２
【補正方法】変更
【補正の内容】
【００１２】
また、第１の端末装置であって、第２の端末装置との通信路及び、第２の端末装置の位置に応じて決定された出力装置であり、前記第１の端末装置から送信された情報を出力する出力装置との通信路を設定する設定手段と、前記設定手段により設定された前記出力装置との前記通信路を介して、前記出力装置にデータを送信する送信手段とを有することを特徴とする第１の端末装置を提供する。
【手続補正８】
【補正対象書類名】明細書
【補正対象項目名】００１３
【補正方法】変更
【補正の内容】
【００１３】
また、第１の端末装置の制御方法であって、第２の端末装置との通信路及び、第２の端末装置の位置に応じて決定された出力装置であり、前記第１の端末装置から送信された情報を出力する出力装置との通信路を設定する設定工程と、前記設定工程において設定された前記出力装置との前記通信路を介して、前記出力装置にデータを送信する送信工程とを有することを特徴とする第１の端末装置の制御方法を提供する。
【手続補正９】
【補正対象書類名】明細書
【補正対象項目名】００１４
【補正方法】変更
【補正の内容】
【００１４】
また、ネットワークシステムにおいて出力装置の利用方法をコンピュータに実行させるプログラムを記憶した、コンピュータで読み取り可能な記憶媒体であって、前記出力装置の利用方法は、第１の端末装置と通信中の第２の端末装置の位置を検索する検索工程と、前記検索工程において検索した前記第２の端末装置の位置に応じて、前記第１の端末装置から送信された情報を出力する出力装置を決定する決定工程と、前記第１の端末装置から送信された情報を前記決定工程において決定された前記出力装置から出力するための通信路を設定するための処理を行う設定工程とを有することを特徴とする記憶媒体を提供する。
【手続補正１０】
【補正対象書類名】明細書
【補正対象項目名】００１５
【補正方法】削除
【補正の内容】
【手続補正１１】
【補正対象書類名】明細書
【補正対象項目名】００１６
【補正方法】削除
【補正の内容】
【手続補正１２】
【補正対象書類名】明細書
【補正対象項目名】００１７
【補正方法】削除
【補正の内容】
【手続補正１３】
【補正対象書類名】明細書
【補正対象項目名】００１８
【補正方法】削除
【補正の内容】
【手続補正１４】
【補正対象書類名】明細書
【補正対象項目名】００１９
【補正方法】削除
【補正の内容】
【手続補正１５】
【補正対象書類名】明細書
【補正対象項目名】００２０
【補正方法】削除
【補正の内容】
【手続補正１６】
【補正対象書類名】明細書
【補正対象項目名】００２１
【補正方法】削除
【補正の内容】
【手続補正１７】
【補正対象書類名】明細書
【補正対象項目名】００２２
【補正方法】削除
【補正の内容】
【手続補正１８】
【補正対象書類名】明細書
【補正対象項目名】００２３
【補正方法】削除
【補正の内容】
【手続補正１９】
【補正対象書類名】明細書
【補正対象項目名】００２４
【補正方法】削除
【補正の内容】
【手続補正２０】
【補正対象書類名】明細書
【補正対象項目名】００２５
【補正方法】削除
【補正の内容】
【手続補正２１】
【補正対象書類名】明細書
【補正対象項目名】００２６
【補正方法】削除
【補正の内容】
【手続補正２２】
【補正対象書類名】明細書
【補正対象項目名】００２７
【補正方法】削除
【補正の内容】
【手続補正２３】
【補正対象書類名】明細書
【補正対象項目名】００２８
【補正方法】削除
【補正の内容】
【手続補正２４】
【補正対象書類名】明細書
【補正対象項目名】００２９
【補正方法】削除
【補正の内容】
【手続補正２５】
【補正対象書類名】明細書
【補正対象項目名】００３０
【補正方法】削除
【補正の内容】
【手続補正２６】
【補正対象書類名】明細書
【補正対象項目名】００３１
【補正方法】削除
【補正の内容】
【手続補正２７】
【補正対象書類名】明細書
【補正対象項目名】００３２
【補正方法】削除
【補正の内容】
【手続補正２８】
【補正対象書類名】明細書
【補正対象項目名】００３３
【補正方法】削除
【補正の内容】
【手続補正２９】
【補正対象書類名】明細書
【補正対象項目名】００３４
【補正方法】削除
【補正の内容】
【手続補正３０】
【補正対象書類名】明細書
【補正対象項目名】００３５
【補正方法】削除
【補正の内容】
【手続補正３１】
【補正対象書類名】明細書
【補正対象項目名】００３６
【補正方法】削除
【補正の内容】
【手続補正３２】
【補正対象書類名】明細書
【補正対象項目名】００３７
【補正方法】削除
【補正の内容】
【手続補正３３】
【補正対象書類名】明細書
【補正対象項目名】００３８
【補正方法】削除
【補正の内容】
【手続補正３４】
【補正対象書類名】明細書
【補正対象項目名】００３９
【補正方法】削除
【補正の内容】
【手続補正３５】
【補正対象書類名】明細書
【補正対象項目名】００４０
【補正方法】削除
【補正の内容】
【手続補正３６】
【補正対象書類名】明細書
【補正対象項目名】００４１
【補正方法】削除
【補正の内容】
【手続補正３７】
【補正対象書類名】明細書
【補正対象項目名】００４４
【補正方法】変更
【補正の内容】
【００４４】
１１は単一のネットワークまたは複数のサブネットワークが相互接続されたネットワークであり、１２はネットワーク１１に接続され機能代行サービスを提供するサーバである。１３はネットワーク１１に接続され音声通信や画像通信等のサービス機能を有する第１の端末装置である。１４は第１の端末装置１３に接続されサービス機能を実現するためのカメラ等の付加的な付加装置であり、例えば、静止画または動画を入力するのに用いられる。１５は第１の端末装置１３と付加装置１４とを論理的に接続するための伝送路である。
【手続補正３８】
【補正対象書類名】明細書
【補正対象項目名】００４６
【補正方法】変更
【補正の内容】
【００４６】
１７はネットワーク１１に接続された受信装置であり、１８は少なくとも受信装置１７で受信したサービス機能のデータを処理する機能を有する処理装置である。処理装置１８は、大型の表示部（図示せず）を有する画像処理装置であり、受信装置１７で受信された画像データを表示する画像表示機能を備える。受信装置１７及び処理装置１８の組みは、同構成のものがネットワーク１１に複数接続されている。１９は受信装置１７と処理装置１８とを論理的に接続する伝送路である。
【手続補正３９】
【補正対象書類名】明細書
【補正対象項目名】００５０
【補正方法】変更
【補正の内容】
【００５０】
サーバ１２は、サービス受付手段２２、出力位置情報検索手段２３、出力先検索手段２４、出力先決定手段２５、中継手段２６及び出力先データベース２７を備える。実際には、不図示のＣＰＵ、ＲＡＭ、ＲＯＭ、通信インターフェイス、ＨＤ等がこれらの機能を果たす。
【手続補正４０】
【補正対象書類名】明細書
【補正対象項目名】００６６
【補正方法】変更
【補正の内容】
【００６６】
サーバ１１２は、中継手段２６に代えて通知手段３２を備えた点が第１の実施の形態におけるサーバ１２と相違する。その他のサービス受付手段２２等の構成はサーバ１２のものと同様である。
【手続補正４１】
【補正対象書類名】明細書
【補正対象項目名】００７７
【補正方法】変更
【補正の内容】
【００７７】
サーバ２１２は、通知手段３２に代えて通知手段４２を備えた点が第２の実施の形態におけるサーバ１１２と相違する。その他のサービス受付手段２２等の構成はサーバ１１２のものと同様である。
【手続補正４２】
【補正対象書類名】明細書
【補正対象項目名】符号の説明
【補正方法】変更
【補正の内容】
【符号の説明】
１１  ネットワーク
１２、１１２、２１２  サーバ
１３  第１の端末装置
１４  付加装置
１６  第２の端末装置
１７  受信装置
１８  処理装置
２２  サービス受付手段
２３  出力位置情報検索手段
２４  出力先検索手段
２５  出力先決定手段
２６  中継手段
２７  出力先データベース
３２  通知手段
３３  通信路
４２  通知手段
４３、４４  通信路
２Ｂ、２Ｃ  通信路